(57)【要約】  【課題】  ホコリの付着を極力防止することで文具の勘合不良や作動不良を防止でき、かつ生産歩留りの高い文具を提供すること。  【解決手段】  表面抵抗値が１×１０３Ω〜１×１０１３Ωであることを特徴とする導電性を有する文具（シャープ芯ケース、修正テープ、テープ糊、スティック糊など）。特に、導電性カーボンブラックを含有してなる表面抵抗値が１×１０３Ω〜１×１０１３Ωの導電性合成樹脂で構成されている文具は、見つけ易いものとなる。【選択図】  図１
2006264175.tif 000002
【特許請求の範囲】
【請求項１】
表面抵抗値が１×１０３Ω〜１×１０１３Ωであることを特徴とする導電性を有する文具。
【請求項２】
表面抵抗値が１×１０３Ω〜１×１０１３Ωの導電性合成樹脂で構成されていることを特徴とする請求項１に記載の導電性を有する文具。
【請求項３】
導電性合成樹脂が、合成樹脂１００質量部に対して０．１〜５．０質量部の導電性カーボンブラックを含有することを特徴とする請求項２に記載の導電性を有する文具。
【発明の詳細な説明】
【技術分野】
【０００１】
本発明は、オフィス、学校、家庭、研究室、製造ライン、クリーンルーム、印刷ルーム、精密測定室などで使用される文具に関し、詳細には、ホコリの付着によって発生する不具合を解消した導電性を有する文具に関する。
【背景技術】
【０００２】
近年電子部品を始めとし、多くの精密製品を生産する場所、或いはこれら精密機器の特性の測定などの精密作業を行う場所等は何れも極度にホコリを嫌い、従って通常これらの作業はクリーンルーム内で行われている。また、このクリーンルーム内へのホコリの持込みは不良品の原因になり、誤動作の原因になるため極力防止しなければならず、クリーンルーム内で使用する用具、部品、文具についてもホコリの付着を極力避ける必要がある。ところが、通常のボールペンを使用した場合、ペン自体のノック作動による摩擦（ボールペン先端チップと先軸、ノック部品と後軸内部の摩擦）、或いは作業者が筆記作業を行う際のボールペンと作業用手袋との間の摩擦により静電気が発生するため、ホコリが付着する。さらに、表面抵抗値が高いボールペンなどは、静電気が発生しやすいため、作業対象物にボールペンを近づけた際にボールペン自体から放電して作業対象物を静電破壊させてしまうことがある。
【０００３】
特許文献１には、ノック式ボールペンにおいて、本体軸と中芯の出し入れを行うノックカバーを表面抵抗値が１０１０〜１０１１ΩのＡＢＳ系樹脂組成物で構成すると共に、ノック棒を表面抵抗値が１０２Ω程度のポリアセタール系樹脂組成物で構成した筆記具が提案されている。このボールペンはノックカバーを押し下げて中芯を出すのであるが、摺動部分を制電性合成樹脂で構成しているためホコリの付着はなく、ホコリが付着するための不良品発生原因や誤動作の原因を解消でき、電子機器に障害を与えることを極力防止できるので、クリーンルーム内での使用に適したものである。
【０００４】
しかしながら、最近では文具類が多種多様化し、文具の機構が高度化したことに伴い、シャープ芯ケース、消しゴムホルダー、スティック糊、修正テープやテープ糊などのテープ文具などにおいても、ホコリの付着が原因で生ずる新たな障害が問題になっている。
【０００５】
具体的には、シャープ芯ケースでは、キャップと本体の勘合不良が発生したり、キャップ開閉の際にホコリが芯に付着することによるシャープペンシルの作動不良を誘発する。修正テープやテープ糊などのテープ文具では、ギアの可動部分にホコリが付着することによる作動不良、テープの粘着層にホコリが付着することによる紙面への転写不良や作動不良、或いはテープのブロッキング、ヘッド部分にホコリが付着することで紙面への転写不良が発生する。また、スティック糊では、キャップと本体の勘合不良が発生するため、エアタイトができなくなり、糊が固化して不良品になる。さらに、消しゴムホルダーでは、可動部分にホコリが付着することにより作動不良が発生する。これらの問題は、文具の使用時のみならず、文具の製造工程においても発生することがあるため、有効な解決策が模索されていた。
【０００６】
これらの問題を解消するために、文具の帯電しやすい部分のみを金属で構成することも考えられるが、金属は材料代が高く、錆が付着したり或いはノック棒などの摺動部材に使用した場合は軸の回転の動作等によって粉塵が発生するなどの別の障害がある。しかも、製造工程が煩雑となるため、文具のコストアップに繋がる。
【０００７】
【特許文献１】特開平１０−２７２８７８号公報（段落番号０００７〜０００８等）
【発明の開示】
【発明が解決しようとする課題】
【０００８】
本発明は上記の事情に鑑みてなされたものであり、ホコリの付着を極力防止することで文具の勘合不良や作動不良を防止出来、かつ生産歩留りの高い文具を提供することを課題とする。
【課題を解決するための手段】
【０００９】
本発明者は上記課題を解決すべく種々検討した結果、筆記具にホコリ等が付着する最大の原因は静電気に基づく場合が最も多いので、文具に導電性を付与することによってホコリの付着や使用時の静電気の発生を防止しうるとともに、殊に導電性カーボンブラックを含有する導電性合成樹脂は黒色であるため見つけ易いという特徴があることを見出し、本発明に到達した。
【００１０】
すなわち、本発明は、次の通りである。
１）表面抵抗値が１×１０３Ω〜１×１０１３Ωであることを特徴とする導電性を有する文具、
２）表面抵抗値が１×１０３Ω〜１×１０１３Ωの導電性合成樹脂で構成されていることを特徴とする前記１）に記載の導電性を有する文具、および、
３）導電性合成樹脂が、合成樹脂１００質量部に対して０．５〜２．０質量部の導電性カーボンブラックを含有することを特徴とする前記２）に記載の導電性を有する文具。
【発明の効果】
【００１１】
本発明にかかる文具は導電性を有するので、ホコリの付着は避けられ、従ってホコリが付着するために発生する文具の勘合不良や作動不良の原因を解消出来、かつ生産歩留り性が向上する。殊に導電性カーボンブラックで導電性を付与した文具においては、全体が黒色のプラスチックで構成されているので、使用したい時に見つけ易い等の効果を奏する。
【００１２】
シャープ芯ケースやスティック糊ケースなど使用時にキャップの開閉を伴う文具においては、特にキャップと本体の勘合不良を解消できるので、勘合不良が原因で生じる不良品の発生を極力防止できる。また、シャープ芯ケースの開閉時に付着したホコリによって誘発されるシャープペンシルの作動不良を極力防止できる。
【００１３】
修正テープやテープ糊などテープ文具においては、ギアの可動部分にホコリが付着することで発生する作動不良や、ヘッド部分にホコリが付着することで発生する転写不良を解消でき、また、テープの粘着層にホコリが付着することで発生する紙面への転写不良や作動不良、テープのブロッキングを極力防止できる。
【００１４】
消しゴムホルダーなどの可動式文具においては、可動部分にホコリが付着することで発生する作動不良を解消できるので、製品寿命が長くなる。
【発明を実施するための最良の形態】
【００１５】
以下、本発明について詳細に説明する。本発明における文具としては、シャープ芯ケース、スティック糊などのキャップの開閉を伴う文具；テープ糊、修正テープ、蛍光テープなど塗膜転写具を用いるテープ文具；消しゴムホルダー、鉛筆ホルダーなどの可動式文具等が挙げられる。従来の文具の表面抵抗の値は、使用される材料の種類によって若干異なるが、おおよそ１０１６Ω程度である。本発明ではこれを１０３以上１０１３以下、好ましくは１０６以上１０１１以下にする。表面抵抗値が１０１３Ω以下、好ましくは１０１１Ω以下であれば文具が摩擦や勘合接触によって帯電しにくくなり、表面抵抗値が１０３Ω以上、好ましくは１０６Ω以上であれば人体を介して貫通電流が流れてワークを破壊させるおそれもない。
【００１６】
このような表面抵抗値を有するようにする手段としては、合成樹脂からなる文具の表面に導電性材料を塗布して上記の値の電気抵抗値とするか、或いは導電性材料を合成樹脂中に配合し、上記の電気抵抗値を有する導電性合成樹脂組成物をもって文具を構成してもよく、好ましくは上記抵抗値を有する導電性合成樹脂組成物をもって文具を構成することが望ましい。
【００１７】
文具を構成する合成樹脂としては特に限定されないが、ＡＢＳ樹脂、ＡＳ樹脂、スチロール樹脂、ポリカーボネート樹脂、ポリプロピレン樹脂は、成形性、強度、表面抵抗値の制御の容易性等の点からも好ましい。導電性材料としては、導電性カーボンブラック、ポリエチレングリコール、スルホン酸塩含有ポリマー等でよいが、導電性カーボンブラックを使用することが好ましい。また文具を構成する導電性合成樹脂は、前記の合成樹脂中に前記の導電性材料を配合することが好ましい。導電性材料の合成樹脂中の配合割合としては、合成樹脂１００質量部に対して０．１〜５質量部、特に０．５〜２質量部が好ましい。
【００１８】
具体的に文具を調製する場合は、シャープ芯ケースやスティック糊などのキャップの開閉を伴う文具には、ＡＢＳ樹脂、ポリカーボネート樹脂、スチロール樹脂、ポリプロピレン樹脂などが好ましく、テープ糊や修正テープなどのテープ文具には、ＡＢＳ樹脂、ＡＳ樹脂、スチロール樹脂、ポリアセタール樹脂、ＳＢ樹脂などが好ましく、消しゴムホルダーなどの可動式文具には、ＡＢＳ樹脂、塩化ビニル樹脂などが好ましく用いられる。
【００１９】
本発明の文具を構成する場合、キャップの開閉を伴う文具の場合には、キャップ及びキャップと接触する本体のみに導電性を付与するのではなく、作業者が使用する際に摩擦や勘合による静電気が発生しやすい部材全体を導電性合成樹脂で構成することが好ましい。それにより、ホコリ付着の原因となる静電気の発生をより有効に抑制することができるので、勘合不良や作動不良がなく、安定した作動を保障することができる。
【００２０】
また、テープ文具を構成する場合には、ギアの可動部分のみに導電性を付与するのではなく、文具全体を導電性合成樹脂で構成することが好ましく、ホコリ付着の原因となる静電気の発生をより有効に抑制することができるので、転写不良や作動不良がなく、安定した作動を保障することができる。
【００２１】
また、可動式文具の場合には、可動部分のみに導電性を付与するのではなく、文具全体を導電性合成樹脂で構成することが好ましく、ホコリ付着の原因となる静電気の発生をより有効に抑制することができるので、作動不良がなく安定した作動を保障することができる。
【実施例】
【００２２】
以下、実施例を用いて本発明を更に具体的に説明するが、本発明は以下の実施例のみに限定されるものではない。
【００２３】
（実施例１）
図１に示すような本体容器２、キャップ３及び替芯取出口４，５よりなるシャープ芯ケース１を、ＡＢＳ樹脂に導電性カーボンを配合した導電性合成樹脂組成物をもって構成した。その表面抵抗は１０１０〜１０１１Ωであった。このようなシャープ芯ケースはキャップを押し上げて替芯取出口から替芯を出すのであるが、ケース全体を導電性合成樹脂で構成しているので、キャップと本体の勘合不良はなく、キャップ開閉時に芯にホコリの付着はなく、シャープペンシルの作動不良も生じなかった。
【００２４】
（実施例２）
図２に示すようなケース本体１２、ガイド１３及び転写ヘッド１４よりなる塗膜転写具１１を、スチロール樹脂に導電性カーボンを配合した導電性合成樹脂組成物をもって構成し、それに転写テープ１５を搭載してテープ糊１１とした。塗膜転写具の表面抵抗は１０１０〜１０１１Ωであった。このようなテープ糊は、転写ヘッドを紙面に押し付けてテープの粘着層を紙面に転写するものであるが、転写具全体を導電性合成樹脂で構成しているので、ヘッド部分にホコリが付着することによる紙面への転写不良はなく、また、テープの粘着層にホコリが付着することによる紙面への転写不良や作動不良、テープのブロッキングも生じなかった。
【００２５】
（実施例３）
図３に示すようなケース２２、供給リール２３、巻取リール２４、ガイド２７及び転写ヘッド２５よりなる塗膜転写具２１を、ＡＳ樹脂に導電性カーボンを配合した導電性合成樹脂組成物をもって構成し、それに転写テープ２６を搭載して修正テープ２１とした。塗膜転写具の表面抵抗は１０１０〜１０１１Ωであった。このような自動巻き取り機構を持ったカセットタイプの塗膜転写具は、ヘッドを被修正面に押し付けた状態で自動巻き取り機構を持った転写具を動かすと、供給リールから修正テープが繰り出され、順次ヘッドで被修正面に押圧され粘着層側で接着されていき、支持体はヘッドを通過した後、感圧転写層（修正被覆層と粘着層の積層物）から分離され、巻取リールに巻取られ、被修正面の修正部分への感圧転写層の転写が終了した時点でヘッドを被修正面に強く押し付けたのち転写具を持ちあげると、感圧転写層が切断され、修正操作が完了するようになっている。転写具全体を導電性合成樹脂で構成しているので、ヘッド部分にホコリが付着することによる紙面への転写不良はなく、また、テープの粘着層にホコリが付着することによる紙面への転写不良や作動不良、テープのブロッキングも生じなかった。
【００２６】
（実施例４）
図４に示すような筒体３２と回転子３３からなる容器本体３４、スライダー３６、ねじ孔３８及びキャップ３５よりなるスティック糊容器を、ポリプロピレン樹脂に導電性カーボンを配合した導電性合成樹脂組成物をもって構成し、それに固形糊３９を充填してスティック糊３１とした。スティック糊の表面抵抗は１０１０〜１０１１Ωであった。このようなスティック糊は、キャップを取り外して固形糊を使用し、使用後はキャップを閉めることにより糊の乾燥を防ぐことができるようになっている。キャップ及び本体を導電性合成樹脂で構成しているので、ホコリが付着することによる両者の勘合不良はなく、糊が乾燥・固化することもなく長期間使用することができた。
【００２７】
（実施例５）
図５に示すようなホルダー本体４２に、押戻し操作体４３及び凹凸部４４ａ、４４ｂを備えた消しゴムホルダー４１を、ＡＢＳ樹脂に導電性カーボンを配合した導電性合成樹脂組成物をもって構成し、それに消しゴムＲを取り付けた。消しゴムホルダーの表面抵抗は可動させることにより消しゴムを押し出すようになっている。可動部分及びホルダー本体を導電性合成樹脂で構成しているので、ホコリが付着することによる作動不良は生じなかった。
【図面の簡単な説明】
【００２８】
【図１】本発明の文具の一実施例であるシャープ芯ケースの斜視図である。
【図２】本発明の文具の一実施例である塗膜転写具（テープ糊使用例）の斜視図である。
【図３】本発明の文具の一実施例である塗膜転写具（修正テープ使用例）の斜視図である。
【図４】本発明の文具の一実施例であるスティック糊の縦断正面図である。
【図５】本発明の文具の一実施例である消しゴムホルダーの斜視図である。
【符号の説明】
【００２９】
１  シャープ芯ケース
２  容器本体
３  キャップ
４，５  替芯取出口
１１  テープ糊
１２  ケース本体
１３  ガイド
１４  転写ヘッド
１５  転写テープ
２１  修正テープ
２２  ケース
２５  転写ヘッド
２６  転写テープ
２７  ガイド
３１  スティック糊
３２  筒体
３３  回転子
３４  容器本体
３５  キャップ、
３９  固形糊
４１  消しゴムホルダー
４２  ホルダー本体
４３  押戻し操作体
４４ａ，４４ｂ  凹凸部
【図１】
2006264175.tif 000003
【図２】
2006264175.tif 000004
【図３】
2006264175.tif 000005
【図４】
2006264175.tif 000006
【図５】
2006264175.tif 000007